(57)【特許請求の範囲】
【請求項１】
一対のラックと、
正面と、前記正面と交差する第１の側面と、前記第１の側面と対向する第２の側面と、を有する箱状の本体と、
前記第１の側面に固定されるとともに、前記一対のラックの一方に固定された第１の固定部と、
前記第２の側面に固定されるとともに、前記一対のラックの他方に固定された第２の固定部と、
前記第１の固定部に搭載されるモジュールと、
前記第１の固定部に設けられるとともに前記モジュールを間に挟んだ一対の突出部と、
前記一対の突出部のそれぞれに設けられた開口部と、
前記開口部に通されるとともに前記モジュールを前記第１の固定部に固定するバンドと、
前記第１の固定部に設けられる複数の貫通孔と、
を備え、
前記開口部は、前記複数の貫通孔の１つと連続する電子機器。
【請求項２】
前記一対の突出部のそれぞれと前記モジュールとの間には、隙間が設けられる請求項１に記載の電子機器。
【請求項３】
前記本体は、前記第２の側面に設けられる排気口を有する請求項１に記載の電子機器。
【請求項４】
前記本体の前記正面に固定された第１の化粧板と、
前記第１の固定部の正面に固定された第２の化粧板と、
前記第２の固定部の正面に固定された第３の化粧板と、
を備えるとともに、前記第１の化粧板、前記第２の化粧板、および前記第３の化粧板は連続した１つの外観をなす請求項１に記載の電子機器。
【請求項５】
前記第３の化粧板は、前記第２の化粧板と同形態である請求項４に記載の電子機器。
【発明の詳細な説明】
【技術分野】
【０００１】
本発明の実施形態は、ラックに取り付けるための固定部を有した電子機器に関する。
【背景技術】
【０００２】
電子機器を搭載可能な収容箱（ラック）が存在する。この収容箱（ラック）に対して、複数のサーバやファイヤーウォールなどが搭載される。
【先行技術文献】
【特許文献】
【０００３】
【特許文献１】特開２００３−２６４３８５号公報
【特許文献２】実開平６−２３２９４号公報
【発明の概要】
【発明が解決しようとする課題】
【０００４】
一方、電子機器は、例えば小型化していく傾向があり、既存のラックに対する互換性や汎用性を確保する必要があった。
【０００５】
本発明は、汎用性を向上した電子機器を提供することを目的とする。
【課題を解決するための手段】
【０００６】
実施形態の電子機器は、一対のラックと、正面と、前記正面と交差する第１の側面と、前記第１の側面と対向する第２の側面と、を有する箱状の本体と、前記第１の側面に固定されるとともに、前記一対のラックの一方に固定された第１の固定部と、前記第２の側面に固定されるとともに、前記一対のラックの他方に固定された第２の固定部と、前記第１の固定部に搭載されるモジュールと、を備える。
【図面の簡単な説明】
【０００７】
【図１】第１の実施形態にかかる電子機器の一例である複合サーバを示した正面図。
【図２】図１に示す複合サーバの第２のサーバを拡大して示した正面図。
【図３】図２に示す第２のサーバを第１の固定部のある方向から示した斜視図。
【図４】図２に示す第２のサーバを第２の固定部のある方向から示した斜視図。
【図５】図３に示す第２のサーバの第１の固定部を、モジュールを取り外した状態で拡大して示した斜視図。
【図６】図５に示す第２のサーバの第１の固定部を、バンドを取り外した状態で拡大して示した斜視図。
【図７】図６に示す第２のサーバの本体および第１の固定部を分解した状態で示した斜視図。
【図８】図６に示す第１の固定部を分解した状態で示した斜視図。
【図９】図３に示す第２のサーバの第２の固定部を分解した状態で示した斜視図。
【図１０】図３に示す第２のサーバを水平方向に切断して本体内部を示した断面図。
【図１１】第２の実施形態にかかる電子機器の一例である複合サーバの第２のサーバを示した斜視図。
【発明を実施するための形態】
【０００８】
以下、図１から図１０を参照して、電子機器の実施形態について説明する。図１に示すように、本実施形態にかかる電子機器は、複数のサーバを含んだ複合サーバ１１であり、略四角形の外観を有している。図１に示すように、複合サーバ１１は、左右一対のラック１２（支柱）と、ラックマウント型の２つの第１のサーバ１３（ファイルサーバ）と、一対のラック１２の間に渡すように固定されたファイヤーウォール１４と、一対のラック１２の間に渡すように固定された第２のサーバ１５（情報処理装置）と、これらの周囲を取り囲んだケース１６と、ケース１６の下部に取り付けられたキャスター１７と、を備えている。第１のサーバ１３、ファイヤーウォール１４、および第２のサーバ１５のそれぞれは、ネジ１８によって一対のラック１２に固定されている。ラック１２は、一般に１９インチラックと呼ばれており、ラック１２同士の間隔は、例えば、１９インチ（約４８０ｍｍ程度）である。ラック１２は、それぞれ縦方向に延びている。
【０００９】
図２、図３に、第２のサーバ１５（情報処理装置）の詳細を示す。第２のサーバ１５は、特定用途向けのサーバである。具体的には、第２のサーバ１５は、いわゆるラックマウント型であり、例えばスモールオフィス等で使用されるようなＩＰ電話サーバである。ＩＰ電話サーバは、企業で必要な電話機能をＷＡＮやＬＡＮを介してＩＰ電話機に提供する。ＩＰ電話サーバを使用することで、複数のＰＢＸ（Private Branch Exchange、構内交換機）を使用しなければならない環境において、１つのＩＰ電話サーバで一元化することができる。また、音声以外にも例えばテレビ電話で送受信されるようなデータもＩＰ電話サーバで管理できる。さらに、ＩＰ電話サーバのような特定用途向けサーバは、サーバに格納されているデータを読み出すことが主であり、サーバにデータを書き込むことがしばしばある。なお、第２のサーバ１５（情報処理装置）は、特定用途向けサーバ以外にも、例えば個人用のパーソナルコンピューターやファイルサーバ等でもよい。
【００１０】
第２のサーバ１５は、方形箱状の本体２１（筐体）を有し、本体２１（筐体）は、一対のラック１２の間に位置している。すなわち、図２、図３に示すように、本実施形態では、本体２１の幅寸法は、ラック１２同士の間の寸法よりも小さい。本体２１は、正面２１Ａと、正面２１Ａと交差するとともに正面２１Ａと連続している第１の側面２１Ｂと、正面２１Ａと交差するとともに正面２１Ａと連続している第２の側面２１Ｃと、正面２１Ａと対向する背面２１Ｄと、正面２１Ａと交差するとともに正面２１Ａと連続している上面２１Ｅおよび底面２１Ｆと、を含んでいる。第２の側面２１Ｃは、第１の側面２１Ｂと対向している。
【００１１】
図１０に示すように、本体２１は、その内部に、例えば、ＣＰＵ等の複数の回路部品２２を実装したプリント回路板２３と、これら複数の回路部品２２を冷却するためのファン２４と、その他の部品（ハードディスクドライブ等）と、を有している。ファン２４は縦置きされており、ファン２４の回転軸が横方向（水平方向）になるように設置される。本体２１の第２の側面２１Ｃは、内部に冷却風を取り込むための吸気口２５と、ファン２４からの排気を外部に排出するための排気口２６と、を有する。次に述べるように、本実施形態では、モジュール３３が搭載された第１の固定部３１が第１の側面２１Ｂに固定されるため、排気口２６がモジュール３３によって塞がれることがない。なお、吸気口２５および排気口２６の区別は、形式的なものであって、実際の空気の流れによって適宜に入れ替わる。
【００１２】
図３、図４に示すように、第２のサーバ１５は、さらに、本体２１の第１の側面２１Ｂに固定された第１の固定部３１（固定具）と、本体２１の第２の側面２１Ｃに固定された第２の固定部３２（固定具）と、第１の固定部３１に搭載（装着）されたモジュール３３と、モジュール３３を第１の固定部３１に固定するバンド３４と、本体２１の正面２１Ａに固定された第１の化粧板３５と、第１の固定部３１の第１の前面壁５３（正面）に固定された第２の化粧板３６と、第２の固定部３２の第２の前面壁４４（正面）に固定された第３の化粧板３７と、モジュール３３に接続された第１のケーブル３８および第２のケーブル３９と、を有している。
【００１３】
モジュール３３は、本実施形態では、例えば、交流／直流変換ユニット（ＡＣ／ＤＣ変換器）、いわゆるＡＣアダプターで構成されている。図５に示すように、バンド３４は、例えば一方の端にあるリング状部３４Ａと、他方の端にある先端部３４Ｂと、を有しており、例えば合成樹脂で一体の帯状に成形されている。リング状部３４Ａの内側に通された先端部３４Ｂを引っ張ることで、バンド３４の内側に位置するモジュール３３の締め付け量を調整できる。バンド３４は、第１の固定部３１の開口部５６の内側に通されることで、モジュール３３の上下方向の移動（浮き上がり）を規制することができる。第１のケーブル３８は、いわゆるＡＣケーブルであり、外部の電源（コンセント）とモジュール３３とを接続して、モジュール３３に交流電流を供給する。第２のケーブル３９は、いわゆるＤＣケーブルであり、モジュール３３と本体２１とを接続して、本体２１に直流電流を供給する。
【００１４】
図２に示すように、第１の化粧板３５、第２の化粧板３６、第３の化粧板３７のそれぞれは、複数の６角形の孔４０を有しており、互いに連続した１つの外観（エクステリア）をなしている。言い換えると、第１の化粧板３５、第２の化粧板３６、第３の化粧板３７は、統一的にデザインされた１つの外観を構成している。図８、図９に示すように、第２の化粧板３６と第３の化粧板３７とは、同形態の共通部品で構成されており、例えば、第２の化粧板３６を前後軸Ａ周りに１８０°回転させることで第３の化粧板３７として使用することができる。第１の化粧板３５は、本体２１の正面２１Ａに例えば溶接で固定されている。図８に示すように、第２の化粧板３６は、ねじ孔を有する第２の取付部３６Ａを有している。第２の化粧板３６は、該ねじ孔に通される第１のねじ４１によって、第１の固定部３１の第１の前面壁５３に固定される。図９に示すように、第３の化粧板３７は、ねじ孔を有する第３の取付部３７Ａを有する。第３の化粧板３７は、該ねじ孔に通される第２のねじ４２によって、第２の固定部３２の第２の前面壁４４に固定される。
【００１５】
図３に示すように、第２の固定部３２は、本体２１の第２の側面２１Ｃとラック１２とを連結する連結部を構成している。第２の固定部３２は、一対のラック１２の他方に固定されている。図９に示すように、第２の固定部３２は、「Ｌ」字形をなした支持部４３（ブラケット）と、支持部４３に溶接された第２の前面壁４４（正面）と、を有している。第２の前面壁４４は、第３の化粧板３７を固定する第２のねじ４２を通す穴４４Ａと、ラック１２に固定するためのネジ１８を通す孔部４４Ｂと、を有している。第２の固定部３２は、支持部４３にあるねじ孔に通されるねじ等の第２の固定部材４５によって、本体２１に固定される（図４参照）。
【００１６】
図２、図３に示すように、第１の固定部３１は、本体２１の第１の側面２１Ｂとラック１２とを連結する連結部を構成している。第１の固定部３１は、一対のラック１２の一方に固定されている。図６、図７に示すように、第１の固定部３１は、モジュール３３の搭載面をなす底壁５１（ブラケット）と、底壁５１から延びて本体２１と直接当接する当接部５２と、底壁５１に溶接された第１の前面壁５３（正面）と、底壁５１から突出する一対の突出部５４と、底壁５１から突出する第２の突出部５５と、一対の突出部５４のそれぞれに設けられた開口部５６と、底壁５１に設けられた複数の貫通孔５７と、を有している。第１の前面壁５３は、第２の化粧板３６を固定する第１のねじ４１を通す穴５３Ａと、ラック１２に固定するためのネジ１８を通す孔部５３Ｂと、を有している。第１の固定部３１は、当接部５２にあるねじ孔に通されるねじ等の第１の固定部材５８によって、本体２１に固定される（図７参照）。
【００１７】
一対の突出部５４は、底壁５１と交差する方向に延びている。図３、図５に示すように、一対の突出部５４は、モジュール３３を間に挟んでおり、モジュール３３の幅方向への移動（位置ずれ）を規制することができる。一対の突出部５４のそれぞれとモジュール３３との間には、若干の隙間５９が設けられている。
【００１８】
第２の突出部５５は、一対の突出部５４と交差する方向に延びており、例えば、モジュール３３の前後軸方向への移動（位置ずれ）を規制することができる。底壁５１、当接部５２、一対の突出部５４、および第２の突出部５５は、一枚の板金を折り曲げて形成される。
【００１９】
開口部５６のそれぞれは、第１の固定部３１の底壁５１（搭載面）に設けられた複数の貫通孔５７のうちの１つと連続して形成されている。言い換えると、一対の突出部５４のそれぞれと底壁５１（搭載面）とに跨って、１つの開口部５６が設けられている。このため、モジュール３３を底壁５１に搭載したままの状態で、開口部５６の内側にバンド３４を通し易くなっている。また、バンド３４をきつく締めた際にも、下側のバンド３４が底壁５１に沿って配置されることになるため、モジュール３３の浮き上がりを生じない。
【００２０】
図１０を参照して、本体２１（筐体）内部の冷却風の流れについて説明する。本体２１の吸気口２５から吸気された空気（冷却風）は、例えば本体２１の内部を旋回して、プリント回路板２３上の回路部品２２をそれぞれ冷却する。そして、冷却に利用された空気は、ファン２４の回転によって排気口２６を介して本体２１（筐体）の外部に排出される。このような吸気および排気は、ファン２４の駆動によってなされる。本実施形態では、吸気口２５および排気口２６のある第２の側面２１Ｃに、モジュール３３が搭載される第１の固定部３１を固定していないため、上記吸気及び排気が円滑になされる。
【００２１】
第１の実施形態によれば、電子機器は、一対のラック１２と、正面２１Ａと、正面２１Ａと交差する第１の側面２１Ｂと、第１の側面２１Ｂと対向する第２の側面２１Ｃと、を有する箱状の本体２１と、第１の側面２１Ｂに固定されるとともに、一対のラック１２の一方に固定された第１の固定部３１と、第２の側面２１Ｃに固定されるとともに、一対のラック１２の他方に固定された第２の固定部３２と、第１の固定部３１に搭載されるモジュール３３と、を備える。
【００２２】
この構成によれば、本体２１がラック１２の寸法に合わない場合でも、当該ラック１２に本体２１を固定することができる。これによって、例えば、本体２１のみで、単独で、縦置き状態で使用したり、或いは、本実施形態のようにラック１２に固定したりできるなど、様々な使用形態を採用することができる。これによって、本体２１の汎用性を著しく向上することができる。また、第１の固定部３１を利用してモジュール３３を設置することができる。このため、例えば、ケーブルを介してモジュール３３が本体２１からぶら下がるといった不安定で、ケーブルおよびモジュール３３の脱落を生じやすく、且つ見栄えも良くない設置状態を解消できる。さらに、本体２１とモジュール３３とを接続するケーブルを短くして、配線をすっきりできるメリットもある。
【００２３】
また、電子機器は、第１の固定部３１に設けられるとともにモジュール３３を間に挟んだ一対の突出部５４と、一対の突出部５４のそれぞれに設けられた開口部５６と、開口部５６に通されるとともにモジュール３３を第１の固定部３１に固定するバンド３４と、を備える。この構成によれば、第１の固定部３１を利用してモジュール３３を安定的に設置することができる。これによって、一対の突出部５４、開口部５６、およびバンド３４によって、モジュール３３をより安定的に保持することができる。
【００２４】
また、電子機器は、第１の固定部３１に設けられる複数の貫通孔５７を備え、開口部５６は、複数の貫通孔５７の１つと連続する。この構成によれば、複数の貫通孔５７を設けることでモジュール３３の放熱性の向上と、電子機器全体としての軽量化とを図ることができる。また、開口部５６は、複数の貫通孔５７のうちの１つと連続しているため、開口部５６の面積が大きくなり、モジュール３３を第１の固定部３１に搭載したままの状態で、開口部５６の内側にバンド３４を容易に通すことができる。また、一対の突出部５４の１つと搭載面（底壁５１）とに跨って開口部５６を設けるようにすれば、バンド３４をきつく締めた際にも、下側のバンド３４が搭載面に沿って配置されることになり、モジュール３３の浮き上がりが防止される。
【００２５】
また、一対の突出部５４のそれぞれとモジュール３３との間には、隙間５９が設けられる。この構成によれば、これらの間にあえて隙間５９を設けることで、例えば、設計変更などにも柔軟に対応できるとともに、種類や用途の異なるモジュール３３を搭載可能にすることができる。
【００２６】
さらに、本体２１は、第２の側面２１Ｃに設けられる排気口２６を有する。この構成によれば、第１の固定部３１にモジュール３３を搭載したとしても、モジュール３３が排気の邪魔になることがなく、本体２１の冷却を円滑に行うことができる。
【００２７】
また、電子機器は、本体２１の正面に固定された第１の化粧板３５と、第１の固定部３１の正面に固定された第２の化粧板３６と、第２の固定部３２の正面に固定された第３の化粧板３７と、を備えるとともに、第１の化粧板３５、第２の化粧板３６、および第３の化粧板３７は連続した１つの外観をなしている。この構成によれば、本体２１とラック１２との間の寸法違いがユーザに意識されることがなく、電子機器の体裁を良好にできる。さらに、第３の化粧板３７は、第２の化粧板３６と同形態であるため、第２の化粧板３６と第３の化粧板３７とを共通部品で構成することができる。これによって、製造コストを削減と外観の質感の向上との両立を図ることができる。
【００２８】
図１１を参照して、電子機器の第２の実施形態について説明する。第２の実施形態の電子機器の一例である複合サーバ１１では、モジュール３３の形態が第１の実施形態とは異なっているが、他の部分では第１の実施形態と共通している。このため、主として第１の実施形態と異なる部分について説明し、共通する箇所については共通の符号を付して説明を省略する。第２の実施形態の複合サーバ１１は、図１に示すものと同様の外観を有する。
【００２９】
第２の実施形態において、モジュール３３は、第１の実施形態のものよりも大型である。モジュール３３は、例えばＵＰＳ（Uninterruptible Power Supply）で構成されている。モジュール３３は、内蔵するバッテリに電力を蓄積しておき、例えば停電の際などに本体２１に電力を供給して本体２１の稼働状態を所定の時間、維持することができる。なお、モジュール３３は、バッテリそのものであってもよい。モジュール３３は、停電時に第１のサーバ１３、ファイヤーウォール１４にも電力を供給する形態でもよい。
【００３０】
電子機器は上記実施形態そのままに限定されるものではなく、実施段階ではその要旨を逸脱しない範囲で構成要素を変形して具体化できる。すなわち、モジュール３３は、上記した交流／直流変換ユニットや、ＵＰＳの例に限定されるものではない。モジュール３３は、外付けのハードディスクドライブ（ＨＤＤ）や、外付けの光ディスクドライブ（ＯＤＤ）、無線ＬＡＮのアンテナユニットなど、本体２１にケーブル等を介して接続される一定の大きさを有する部品であればどのようなものでもよい。
【００３１】
さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。
［１］
一対のラックと、
正面と、前記正面と交差する第１の側面と、前記第１の側面と対向する第２の側面と、を有する箱状の本体と、
前記第１の側面に固定されるとともに、前記一対のラックの一方に固定された第１の固定部と、
前記第２の側面に固定されるとともに、前記一対のラックの他方に固定された第２の固定部と、
前記第１の固定部に搭載されるモジュールと、
を備える電子機器。
［２］
前記第１の固定部に設けられるとともに前記モジュールを間に挟んだ一対の突出部と、
前記一対の突出部のそれぞれに設けられた開口部と、
前記開口部に通されるとともに前記モジュールを前記第１の固定部に固定するバンドと、
を備える［１］に記載の電子機器。
［３］
前記第１の固定部に設けられる複数の貫通孔を備え、前記開口部は、前記複数の貫通孔の１つと連続する［２］に記載の電子機器。
［４］
前記一対の突出部のそれぞれと前記モジュールとの間には、隙間が設けられる［３］に記載の電子機器。
［５］
前記本体は、前記第２の側面に設けられる排気口を有する［４］に記載の電子機器。
［６］
前記本体の前記正面に固定された第１の化粧板と、
前記第１の固定部の正面に固定された第２の化粧板と、
前記第２の固定部の正面に固定された第３の化粧板と、
を備えるとともに、前記第１の化粧板、前記第２の化粧板、および前記第３の化粧板は連続した１つの外観をなす［５］に記載の電子機器。
［７］
前記第３の化粧板は、前記第２の化粧板と同形態である［６］に記載の電子機器。
［８］
一対のラックと、
正面と、前記正面と交差する第１の側面と、前記第１の側面と対向する第２の側面と、を有する本体と、
前記一対のラックの一方と前記第１の側面とを連結する第１の固定部と、
前記一対のラックの他方と前記第２の側面とを連結する第２の固定部と、
前記第１の固定部の搭載面に搭載されるモジュールと、
前記第１の固定部に設けられるとともに前記モジュールを間に挟んだ一対の突出部と、
前記一対の突出部の１つと前記搭載面とに跨って設けられた開口部と、
前記開口部に通されるとともに前記モジュールを前記第１の固定部に固定するバンドと、
を備える電子機器。
［９］
一対のラックと、
正面と、前記正面と交差する第１の側面と、前記第１の側面と対向する第２の側面と、を有する本体と、
前記第１の側面に固定されるとともに、前記一対のラックの一方に固定された第１の固定部と、
前記第２の側面に固定されるとともに、前記一対のラックの他方に固定された第２の固定部と、
前記第１の固定部に設けられるモジュールと、
前記第２の側面に設けられる排気口と、
を備える電子機器。
【符号の説明】
【００３２】
１１…複合サーバ、１２…ラック、１５…第２のサーバ、２１…本体、２１Ａ…正面、２１Ｂ…第１の側面、２１Ｃ…第２の側面、２６…排気口、３１…第１の固定部、３２…第２の固定部、３３…モジュール、３４…バンド、３５…第１の化粧板、３６…第２の化粧板、３７…第３の化粧板、５４…一対の突出部、５６…開口部、５７…貫通孔、５９…隙間
【図１】
0005135453.tif 000002
【図２】
0005135453.tif 000003
【図３】
0005135453.tif 000004
【図４】
0005135453.tif 000005
【図５】
0005135453.tif 000006
【図６】
0005135453.tif 000007
【図７】
0005135453.tif 000008
【図８】
0005135453.tif 000009
【図９】
0005135453.tif 000010
【図１０】
0005135453.tif 000011
【図１１】
0005135453.tif 000012